(57)【要約】【課題】無線通信システムでフィードバック情報に基づく１つ以上のサブパケットを転送する方法を提供する。【解決手段】この方法は、１つ以上の受信端からフィードバック情報を受信し、１つ以上のオーバーヘッド（ｏｖｅｒｈｅａｄ）チャンネルを通じて連続した転送のために選択された搬送波及びアンテナ組合せに関する情報を含む転送パケットを転送し、選択された搬送波及びアンテナ組合せによって１つ以上のサブパケットを転送する。これなより、無線通信システムでフィードバック情報を效率的に転送する。【選択図】図１６
2009525669.tif 000002
【特許請求の範囲】
【請求項１】
ＨＡＲＱ（Ｈｙｂｒｉｄ  ａｕｔｏｍａｔｉｃ  ｒｅｑｕｅｓｔ）技法を使用する無線通信システムで連続したサブパケットを転送する方法において、
１つ以上の受信端からフィードバック情報を受信する段階と、
１つ以上のオーバーヘッド（ｏｖｅｒｈｅａｄ）チャンネルを通じて連続した転送のために選択された搬送波及びアンテナ組合せに関する情報を含む転送パケットを転送する段階と、
選択された搬送波及びアンテナ組合せによって１つ以上のサブパケットを転送する段階と、
を含むことを特徴とする、サブパケット転送方法。
【請求項２】
１つ以上の送信端に前記フィードバック情報を転送する段階と、
前記転送パケットを受信する段階と、
前記選択された搬送波及びアンテナを通じて受信された前記１つ以上のサブパケットを受信及びデコーディングする段階と、
をさらに含むことを特徴とする、請求項１に記載のサブパケット転送方法。
【請求項３】
前記オーバーヘッドチャンネルは、順方向リンクチャンネルであることを特徴とする、請求項１に記載のサブパケット転送方法。
【請求項４】
前記転送パケットは、１つ以上のセクターまたはセルに関する情報をさらに含むことを特徴とする、請求項１に記載のサブパケット転送方法。
【請求項５】
前記フィードバック情報は、チャンネル品質情報（ｃｈａｎｎｅｌ  ｑｕａｌｉｔｙ  ｉｎｆｏｒｍａｔｉｏｎ；ＣＱＩ）であることを特徴とする、請求項１に記載のサブパケット転送方法。
【請求項６】
前記選択された搬送波及びアンテナ組合せは、以前の転送と同一であることを特徴とする、請求項１に記載のサブパケット転送方法。
【請求項７】
前記選択された搬送波及びアンテナ組合せは、以前の転送と異なることを特徴とする、請求項１に記載のサブパケット転送方法。
【請求項８】
前記フィードバック情報は、周期的にまたは非周期的に転送されることを特徴とする、請求項１に記載のサブパケット転送方法。
【請求項９】
ＨＡＲＱ（Ｈｙｂｒｉｄ  ａｕｔｏｍａｔｉｃ  ｒｅｑｕｅｓｔ）技法を用いる無線通信システムで連続したサブパケットを転送する方法において、
１つ以上の受信端からフィードバック情報を受信する段階と、
最も最近のフィードバック情報に基づいて、以前に転送された１つ以上のサブパケットの転送フォーマット（ｆｏｒｍａｔ）と異なる転送フォーマットを用いて１つ以上の連続したサブパケットを転送する段階と、
を含むことを特徴とする、サブパケット転送方法。
【請求項１０】
１つ以上の送信端に前記フィードバック情報を転送する段階と、
前記以前に転送された１つ以上のサブパケットの転送フォーマットと異なる転送フォーマットに基づいて前記１つ以上のサブパケットを受信する段階と、
をさらに含むことを特徴とする、請求項９に記載のサブパケット転送方法。
【請求項１１】
前記転送フォーマットは、変調フォーマットを指すことを特徴とする、請求項９に記載のサブパケット転送方法。
【請求項１２】
前記フィードバック情報は、チャンネル品質情報（ＣＱＩ）であることを特徴とする、請求項９に記載のサブパケット転送方法。
【請求項１３】
前記１つ以上のサブパケットは、同時に多数の搬送波及びアンテナを通じて転送されることを特徴とする、請求項９に記載のサブパケット転送方法。
【請求項１４】
無線通信システムでフィードバック情報を転送する方法において、
１つ以上の送信端に前記フィードバック情報を転送する段階を含み、前記フィードバック情報は、サブアクティブセット（ｓｕｂ−ａｃｔｉｖｅ  ｓｅｔ）における組合せ選択の指示を含むことを特徴とする、フィードバック情報転送方法。
【請求項１５】
前記フィードバック情報は、チャンネル品質情報（ＣＱＩ）またはデータ率制御（ｄａｔａ  ｒａｔｅ  ｃｏｎｔｒｏｌ；ＤＲＣ）であることを特徴とする、請求項１４に記載のフィードバック情報転送方法。
【請求項１６】
前記フィードバック情報は、周期的にまたは非周期的に転送されることを特徴とする、請求項１４に記載のフィードバック情報転送方法。
【請求項１７】
前記組合せの選択は、チャンネル品質に基づくことを特徴とする、請求項１４に記載のフィードバック情報転送方法。
【請求項１８】
前記サブアクティブセットは、１つ以上のアンテナ及び１つ以上の搬送波の様々な組合せのインデックスを含むことを特徴とする、請求項１４に記載のフィードバック情報転送方法。
【請求項１９】
前記サブアクティブセットは、１つ以上のアンテナ、１つ以上の搬送波及び１つ以上のセクター／セルの様々な組合せのインデックスを含むことを特徴とする、請求項１４に記載のフィードバック情報転送方法。
【請求項２０】
前記サブアクティブセットは、アンテナ、搬送波またはセクター／セルの数によって可変する大きさを有することを特徴とする、請求項１４に記載のフィードバック情報転送方法。
【請求項２１】
サブアクティブセットの数は、割り当てられた搬送波の数に相応することを特徴とする、請求項１４に記載のフィードバック情報転送方法。
【請求項２２】
前記フィードバック情報は、結合されたフィードバックチャンネルを含み、前記結合されたフィードバックチャンネルは、アンテナのセットを指示するのに使われることを特徴とする、請求項１４に記載のフィードバック情報転送方法。
【請求項２３】
前記結合されたフィードバックチャンネルは、ソフトハンドオーバー中に使われることを特徴とする、請求項２２に記載のフィードバック情報転送方法。
【請求項２４】
前記サブアクティブセットは、インタレース（ｉｎｔｅｒｌａｃｅ）されることを特徴とする、請求項１４に記載のフィードバック情報転送方法。
【請求項２５】
前記インタレースされたサブアクティブセットは、奇数インタレース（ｏｄｄ  ｉｎｔｅｒｌａｃｅ）及び偶数インタレース（ｅｖｅｎ  ｉｎｔｅｒｌａｃｅ）に分類され、前記奇数インタレースは、チャンネル品質に関する情報を提供し、前記偶数インタレースは、受信端により選択される１つ以上のアンテナまたはアンテナのセットに関する情報を提供することを特徴とする、請求項２４に記載のフィードバック情報転送方法。
【請求項２６】
前記フィードバック情報は、拡張されたチャンネル品質情報（ＣＱＩ）カバーを含み、前記ＣＱＩカバーの前記拡張された部分は、セクター識別及び受信端により選択された１つ以上のアンテナまたはアンテナのセットに関する情報を含むことを特徴とする、請求項１４に記載のフィードバック情報転送方法。
【請求項２７】
前記拡張されたＣＱＩカバーは、拡張されたビット数を持つＣＱＩカバーであることを特徴とする、請求項２６に記載のフィードバック情報転送方法。
【請求項２８】
前記ＣＱＩカバーは、不変のチャンネル品質情報（ＣＱＩ）値を含むことを特徴とする、請求項２６に記載のフィードバック情報転送方法。
【請求項２９】
前記フィードバック情報は、受信端により選択された１つ以上のアンテナまたはアンテナのセットに関する情報を含むように大きさの増加したチャンネル品質情報（ＣＱＩ）値を含むことを特徴とする、請求項１４に記載のフィードバック情報転送方法。
【請求項３０】
前記ＣＱＩ値は、ビットで表されることを特徴とする、請求項２９に記載のフィードバック情報転送方法。
【請求項３１】
前記フィードバック情報は、以前のＣＱＩ値に対する相対的なチャンネル品質情報（ＣＱＩ）値の差である差値（ｄｉｆｆｅｒｅｎｔｉａｌ  ｖａｌｕｅ）を含むことを特徴とする、請求項１４に記載のフィードバック情報転送方法。
【請求項３２】
前記以前のＣＱＩ値は、全体ＣＱＩ値であることを特徴とする、請求項３１に記載のフィードバック情報転送方法。
【請求項３３】
前記差値は、上昇／下降命令で指示されることを特徴とする、請求項３１に記載のフィードバック情報転送方法。
【請求項３４】
前記フィードバック情報は、多数のチャンネル品質情報（ＣＱＩ）を含むことを特徴とする、請求項１４に記載のフィードバック情報転送方法。
【請求項３５】
前記フィードバック情報は、多数の電力制御命令を含むことを特徴とする、請求項１４に記載のフィードバック情報転送方法。
【請求項３６】
送信端からランク選択を受信する段階をさらに含むことを特徴とする、請求項１４に記載のフィードバック情報転送方法。
【請求項３７】
前記ランクの選択は、転送に利用可能な搬送波及びアンテナの数に関することを特徴とする、請求項３６に記載のフィードバック情報転送方法。
【請求項３８】
前記ランクの選択は、チャンネルの数及び各チャンネルの大きさに関する情報を提供することを特徴とする、請求項３６に記載のフィードバック情報転送方法。
【発明の詳細な説明】
【技術分野】
【０００１】
本発明は、サブパケットを転送する方法に係り、より具体的には、無線通信システムでフィードバック情報に基づいて１つ以上のサブパケットを転送する方法に関する。本発明は、広い範囲への応用に適しているが、様々な方法に基づいて転送可能なフィードバック情報を用いるハイブリッド自動再送要求（Ｈｙｂｒｉｄ  ａｕｔｏｍａｔｉｃ  ｒｅｑｕｅｓｔ；ＨＡＲＱ）と関連したサブパケットを転送するのに特に適している。
【背景技術】
【０００２】
無線通信環境で、転送端は受信端にパイロットまたはパイロット信号を転送する。応答として、受信端は、パイロット信号が転送されたチャンネルでフィードバック情報を転送する。このフィードバックに基づいて、転送端はデータを効果的で效率的に転送する。
【０００３】
しかしながら、当該データが受信端に正確に受信されるという保障はない。また、転送端がパケットを効果的で效率的に転送したという保障もない。
【０００４】
現在、無線通信の使用者は移動の自由を享受している。すなわち、移動端末機を持つ使用者は、連結の切れることなく相手側と通話しながらある位置から他の位置に移動することが可能である。時々、使用者は特定サービスカバレッジ領域から他のカバレッジ領域へ（例えば、特定セル／セクターから他のセル／セクターへ）移動する場合もある。このような場合、使用者は、基地局からの転送電力の適切なスケジューリングを通じて、セルエッジ領域に位置している場合にも自分の移動端末で通話を続くことができる。
【０００５】
急変する無線通信環境においては、データが受信端で正確に受信されない場合にデータを転送するより効果的で効率的な方法が重要である。また、送信端がより良いデータ転送をできるようにフィードバック情報がより詳細な情報を提供することが重要である。
【発明の開示】
【発明が解決しようとする課題】
【０００６】
したがって、本発明は、従来の関連技術の制限及び短所による１つ以上の問題を根本的に解消できる、無線通信システムでフィードバック情報に基づいて１つ以上のサブパケットを転送する方法に関する。
【０００７】
本発明の目的は、ＨＡＲＱを用いる無線通信システムで連続したサブパケットを転送する方法を提供することにある。
【０００８】
本発明の他の目的は、無線通信システムでフィードバック情報を転送する方法を提供することにある。
【０００９】
本発明の付加的な特徴及び長所は、部分的には下記の説明に展開され、部分的には下記の説明から当業者に明らかになるか、本発明の実施から習得されることができる。
【００１０】
本発明の目的及び他の長所は、添付の図面だけでなく、下記の詳細な説明及び請求項に提示された具体的な構造によって実現され獲得されることができる。
【課題を解決するための手段】
【００１１】
上記の本発明の目的及びその他の長所を達成するために、ここに具体的にまたは広範囲に説明されるように、ＨＡＲＱ技術を用いる無線通信システムで連続したサブパケットを転送する方法は、１つ以上の受信端からフィードバック情報を受信する段階、１つ以上のオーバーヘッドチャンネルを通じて転送パケットを転送する段階、及び連続した転送のために選択された搬送波及びアンテナ組合せによって１つ以上のサブパケットを転送する段階を含み、前記転送パケットは、連続した転送のために選択された前記搬送波及びアンテナ組合せに関する情報を含む。
【００１２】
本発明の他の様相において、無線通信システムでフィードバック情報を転送する方法は、１つ以上の転送端に前記フィードバック情報を転送する段階を含み、前記フィードバック情報は、サブアクティブセット（ｓｕｂ−ａｃｔｉｖｅ  ｓｅｔ）で組合せ（ｃｏｍｂｉｎａｔｉｏｎ）の選択に対する指示を含む。
【００１３】
上記の一般的な説明と以下の本発明についての詳細な説明は両方とも例示的で説明的なもので、請求された本発明のさらなる説明を提供するためのものである。
【発明を実施するための最良の形態】
【００１４】
以下、添付の図面を参照しつつ、本発明の好適な実施例について詳細に説明する。図面中、同一の構成要素には可能な限り同一の参照符号を付する。
【００１５】
図１を参照すると、無線通信ネットワーク構造が示されている。加入者は、ネットワークサービスにアクセスするために移動局（ｍｏｂｉｌｅ  ｓｔａｔｉｏｎ；ＭＳ）２を使用する。ＭＳ２は、携帯電話、車両に設置された通信機器または位置固定通信ユニットのような携帯可能な通信機器のいずれであっても良い。
【００１６】
ＭＳ ２のための電磁気波は、ノードＢ（ｎｏｄｅ Ｂ）とも知られたＢＴＳ（Ｂａｓｅ  Ｔｒａｓｎｃｅｉｖｅｒ  Ｓｙｓｔｅｍ）３により転送される。
【００１７】
ＢＴＳ ３は、電波を転送して受信するためのアンテナ及び装備のような無線装備で構成される。ＢＳＣ（ＢＳ  ６  ｃｏｎｔｒｏｌｌｅｒ）は、１つ以上のＢＴＳからの転送を受信する。ＢＳＣ４は、ＢＴＳ及びＭＳＣ（Ｍｏｂｉｌｅ  ｓｗｉｔｃｈｉｎｇ  ｃｅｎｔｅｒ）５または内部ＩＰ網とメッセージを交換することにより各ＢＴＳ ３からの無線転送の制御及び管理を提供する。ＢＴＳ３及びＢＳＣ ４は、ＢＳ ６の部分である。
【００１８】
ＢＳ ６は、回線交換基幹網（Ｃｉｒｃｕｉｔ  ｓｗｉｔｃｈｅｄ  ｃｏｒｅ  ｎｅｔｗｏｒｋ；ＣＳＣＮ）７及びパケット交換基幹網（Ｐａｃｋｅｔ  ｓｗｉｔｃｈｅｄ  ｃｏｒｅ  ｎｅｔｗｏｒｋ；ＰＳＣＮ）８とメッセージを交換してデータを転送する。ＣＳＣＮ７は、伝統的な音声通信を提供し、ＰＳＣＮ ８はインターネットアプリケーション及びマルチメディアサービスを提供する。
【００１９】
ＣＳＣＮ ７の一部であるＭＳＣ（Ｍｏｂｉｌｅ  ｓｗｉｔｃｈｉｎｇ  ｃｅｎｔｅｒ）５は、ＭＳ２との伝統的な音声通信に対するスイッチング（ｓｗｉｔｃｈｉｎｇ）を提供し、このような機能を支援するための情報を保存することができる。ＭＳＣ ５は、例えば、公衆交換電話網（Ｐｕｂｌｉｃ  Ｓｗｉｔｃｈｅｄ  Ｔｅｌｅｐｈｏｎｅ  Ｎｅｔｗｏｒｋ；ＰＳＴＮ）（図示せず）または統合サービスデジタル網（Ｉｎｔｅｇｒａｔｅｄ  Ｓｅｒｖｉｃｅｓ  Ｄｉｇｉｔａｌ  Ｎｅｔｗｏｒｋ；ＩＳＤＮ）（図示せず）のような他の公衆網だけでなく、１つ以上のＢＳ６と連結されることができる。訪問者位置登録器（Ｖｉｓｉｔｏｒ  ｌｏｃａｔｉｏｎ  ｒｅｇｉｓｔｅｒ；ＶＬＲ）９は、訪問する加入者にまたは加入者からの音声通信を制御するための情報を取り込むのに用いられる。ＶＬＲ９は、ＭＳＣ ５内に位置し、１つ以上のＭＳＣをサービングすることができる。
【００２０】
使用者識別は、例えば、ＥＳＮ（Ｅｌｅｃｔｒｏｎｉｃ  Ｓｅｒｉａｌ  Ｎｕｍｂｅｒ）、ＭＤＲ（Ｍｏｂｉｌｅ  Ｄｉｒｅｃｔｏｒｙ  Ｎｕｍｂｅｒ）、プロファイル情報、現在位置及び認証期間（Ａｕｔｈｅｎｔｉｃａｔｉｏｎ  ｐｅｒｉｏｄ）等の加入者情報を記録するためのＣＳＣＮ７のホーム位置登録器（Ｈｏｍｅ  ｌｏｃａｔｉｏｎｒｅｇｉｓｔｅｒ；ＨＬＲ）１０に割り当てられる。
【００２１】
認証センター（Ａｕｔｈｅｎｔｉｃａｔｉｏｎ  ｃｅｎｔｅｒ；ＡＣ）１１は、ＭＳ２と関連した認証情報を管理する。ＡＣ １１は、ＨＬＲ １０内に位置し、１つ以上のＨＬＲをサービングすることができる。ＭＳＣ ５及びＨＬＲ／ＡＣ１０，１１間のインターフェースは、ＩＳ−４１標準インターフェース１８である。
【００２２】
ＰＳＣＮ ８の一部であるパケットデータサービングノード（Ｐａｃｋｅｔｄａｔａ  ｓｅｒｖｉｎｇ  ｎｏｄｅ；ＰＤＳＮ）１２は、ＭＳ２とのパケットデータトラフィックのためのルーティングを提供する。ＰＤＳＮ １２は、ＭＳ ２へのリンク階層セッションを確立、維持及び終了し、１つ以上のＢＳ ６及び１つ以上のＰＳＣＮ８とインターフェースすることができる。
【００２３】
認証、承認及びアカウント（Ａｕｔｈｅｎｔｉｃａｔｉｏｎ、ａｕｔｈｏｒｉｚａｔｉｏｎ  ａｎｄ  ａｃｃｏｕｎｔｉｎｇ；ＡＡＡ）サーバー１３は、パケットデータトラフィックと関連したインターネットプロトコルの認証、承認及びアカウント機能を提供する。ホームエージェント（Ｈｏｍｅ  Ａｇｅｎｔ；ＨＡ）１４は、ＭＳ２のＩＰ登録の認証を提供し、ＰＳＣＮ ８の外部エージェント（Ｆｏｒｅｉｇｎ  Ａｇｅｎｔ；ＦＡ）１５とのパケットデータをリダイレクトし、ＡＡＡサーバー１３からの使用者のための予備の情報を受信する。ＨＡ１４はまた、ＰＤＳＮ １２への安全な通信を確立、維持及び終了し、動的なＩＰアドレスを割り当てる。ＰＤＳＮ １２は、内部ＩＰ網を通じてＡＡＡ１３、ＨＡ １４及びインターネット１６と通信する。
【００２４】
様々な種類の多重アクセス技法、具体的には、ＦＤＭＡ（Ｆｒｅｑｕｅｎｃｙ  Ｄｉｓｉｖｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）及びＣＤＭＡ（Ｃｏｄｅ  Ｄｉｖｉｓｉｏｎ  Ｍｕｌｔｉｐｌｅ  Ａｃｃｅｓｓ）がある。ＦＤＭＡでは、使用者通信が周波数、例えば３０ＫＨｚチャンネルを用いることによって分離される。ＴＤＭＡでは、使用者通信が周波数及び時間、例えば６個のタイムスロット（ｔｉｍｅ  ｓｌｏｔ）を持つ３０ＫＨｚチャンネルを用いることによって分離される。ＣＤＭＡでは、使用者通信がデジタルコードにより分離される。
【００２５】
ＣＤＭＡでは、全ての使用者が例えば１．２５ＭＨｚのような同一スペクトラム上に存在する。各使用者は、固有のデジタルコード識別子を有し、該デジタルコードは使用者を分離し、干渉を防ぐ。
【００２６】
ＣＤＭＡ信号は、１ビットの情報を伝達するために多くのチップを使用する。各使用者は、固有のチップパターンを有し、これは本質的にコードチャンネルである。ビットを復旧するために、多くのチップが使用者の知られたチップパターンによって統合される。他の使用者のチップパターンはランダムに表れ、自己削除（ｓｅｌｆ  ｃａｎｃｅｌｉｎｇ）方式で統合され、したがって、使用者の適切なコードパターンによって生成されたビットデコーディング決定を妨害しない。
【００２７】
入力データは、高速拡散シーケンス（ｆａｓｔ  ｓｐｒｅａｄｉｎｇ  ｓｅｑｕｅｎｃｅ）と結合され、拡散データストリームとして転送される。受信機は元のデータを抽出するために同一の拡散シーケンスを使用する。
【００２８】
図２Ａは、拡散及び逆拡散過程を示す図である。図２Ｂに示すように、多重拡散シーケンスが固有で堅固なチャンネルを作るために結合されることができる。
【００２９】
ウォルシュコード（Ｗａｌｓｈ  ｃｏｄｅ）は、拡散シーケンスの一類型である。それぞれのウォルシュコードは、６４チップ長を有し、お互い完全に直交する。これらのコードは、簡単に生成され、ＲＯＭ（Ｒｅａｄ  Ｏｎｌｙ  Ｍｅｍｏｒｙ）内に保存されうる程度に十分に小さい。
【００３０】
ショートＰＮコードは、拡散シーケンスの他の類型である。ショートＰＮコードは、２つのＰＮシーケンス（Ｉ及びＱ）からなっており、それぞれは３２、７６８チップ長を有し、類似しているが、異なってタップされた（ｔａｐｐｅｄ）１５ビットシフトレジスタで生成される。２つのシーケンスは、Ｉ及びＱ相チャンネル上の情報をスクランブル（ｓｃｒａｍｂｌｅ）する。
【００３１】
ロングＰＮコードは、拡散シーケンスのさらに他の類型である。ロングＰＮコードは、４２ビットレジスタで生成され、４０日長または約４×１０１３チップ長を有する。この長さから、ロングＰＮコードは端末機のＲＯＭ内に保存されず、よって、チップ対チップ（ｃｈｉｐ−ｂｙ−ｃｈｉｐ）で生成される。
【００３２】
各ＭＳ ２は、ロングＰＮコード及び固有のオフセット（ｏｆｆｓｅｔ）、または３２ビットのロングＰＮコードＥＳＮ及びシステムにより設定された１０ビットを用いて計算された公用ロングコードマスク（ｐｕｂｌｉｃ  ｌｏｎｇ  ｃｏｄｅ  ｍａｓｋ）を、自分の信号とコード化する。公用ロングコードマスクは、固有のシフトを生成する。私用ロングコードマスク（ｐｒｉｖａｔｅ  ｌｏｎｇ  ｃｏｄｅ  ｍａｓｋ）は、プライバシーを強化するのに使われることができる。６４チップのような短い周期上で統合されるとき、他のロングＰＮコードオフセットを持つＭＳ２は実質的に直交するように見える。
【００３３】
ＣＤＭＡ通信は、順方向チャンネル及び逆方向チャンネルを使用する。順方向チャンネルは、ＢＴＳ３からＭＳ ２への信号のために使われ、逆方向チャンネルはＭＳからＢＴＳへの信号のために使われる。
【００３４】
順方向チャンネルは、一つの使用者が同時に多重チャンネルタイプを持つことができるように、順方向チャンネルに割り当てられた特定ウォルシュコード及びセクターに対する特定ＰＮオフセットを使用する。順方向チャンネルは、ＣＤＭＡ  ＲＦ搬送波周波数、セクターの固有ショートコードＰＮオフセット及び使用者の固有ウォルシュコードにより識別される。ＣＤＭＡ順方向チャンネルは、パイロットチャンネル、同期チャンネル、ページングチャンネル及びトラフィックチャンネルを含む。
【００３５】
パイロットチャンネルは、キャラクターストリーム（ｃｈａｒａｃｔｅｒ  ｓｔｒｅａｍ）を含まない“構造的ビーコン（ｓｔｒｕｃｔｕｒａｌ  ｂｅａｃｏｎ）”であり、ハンドオフ時に測定手段及びシステム獲得に用いられるタイミングシーケンスである。パイロットチャンネルは、ウォルシュコード０を使用する。
【００３６】
同期チャンネルは、システム獲得時にＭＳ ２により用いられるパラメータ情報とシステム識別を持つデータストリームを転送する。同期チャンネルはウォルシュコード３２を使用する。
【００３７】
容量要求によって１〜７個のページングチャンネルが存在することができる。ページングチャンネルは、ページ、システムパラメータ情報及び呼設定命令を伝達する。ページングチャンネルはウォルシュコード１〜７を使用する。
【００３８】
トラフィックチャンネルは、呼トラフィックを伝達するために個別の使用者に割り当てられる。トラフィックチャンネルは、雑音で制限される全体容量に従って残っているウォルシュコードのいずれかを使用する。
【００３９】
逆方向チャンネルは、ＭＳ ２からＢＴＳ ３に信号を伝達するために用いられ、一つの使用者が同時に様々なタイプのチャンネルを転送できるようにウォルシュコード及びＭＳに特定されたロングＰＮシーケンスのオフセットを使用する。逆方向チャンネルは、ＣＤＭＡ  ＲＦ搬送波周波数及び個別のＭＳ２の固有ロングコードＰＮオフセットにより識別される。逆方向チャンネルはトラフィックチャンネル及び接続チャンネルを含む。
【００４０】
個別の使用者はＢＴＳ ３にトラフィックを転送するために実際呼（ｃａｌｌ）中にトラフィックチャンネルを使用する。逆方向トラフィックチャンネルは基本的に使用者特定の公用または私用のロングコードマスクであり、ＣＤＭＡ端末分だけの多い逆方向トラフィックチャンネルが存在する。
【００４１】
呼が設定されていないＭＳ ２は、登録要請、呼設定要請、ページ応答、命令応答及び他のシグナリング情報を転送するために接続チャンネルを使用する。接続チャンネルは基本的にＢＴＳ３セクターに固有な公用ロングコードオフセットである。接続チャンネルは、ページングチャンネルと対になっており、各ページングチャンネルは３２個以下の接続チャンネルを含む。
【００４２】
ＣＤＭＡ通信は多くの利点を提供する。その例には、可変レートボコーディング（ｒａｔｅ  ｖｏｃｏｄｉｎｇ）及び多重化（ｍｕｌｔｉｐｌｅｘｉｎｇ）、順方向電力制御、レイク（ＲＡＫＥ）受信機使用及びソフトハンドオフなどが挙げられる。
【００４３】
ＣＤＭＡは、音声（ｓｐｅｅｃｈ）を圧縮するために可変レートボコーダを使用するようにし、よって、ビット率を減少させ、容量を大きく増加させることができる。可変レートボコーディングは会話中に最大ビット率を提供し、会話中止時には低いビット率を提供することによって、容量を増加させ、自然な声を提供する。
【００４４】
多重化は、音声、シグナリング及び使用者の副次的データをＣＤＭＡフレームに混合させることができる。
【００４５】
順方向電力制御を用いることによって、ＢＴＳ ３は、持続して各使用者の順方向基底帯域チップストリームの強度を減らすことができる。例えば、特定ＭＳ２が順方向リンク上で誤りを経験する場合、より多くの電力を要求し、エネルギーが急に増加（ｂｏｏｓｔ）し、以降エネルギーは再び減少する。
【００４６】
レイク受信機は、ＭＳ ２がレイクフィンガー（ＲＡＫＥ  ｆｉｎｇｅｒ）に該当する３つのトラフィックコリレータ（ｃｏｒｒｅｌａｔｏｒ）の結合された出力を毎フレームごとに使用できるようにする。各レイクフィンガーは、独立して特定ＰＮオフセット及びウォルシュコードを復元できる。サーチャー（ｓｅａｒｃｈｅｒ）が持続してパイロット信号を確認することによって、各レイクフィンガーは、異なるＢＴＳ３の遅延された多重経路反射をターゲット（ｔａｒｇｅｔｉｎｇ）とすることができる。
【００４７】
ＭＳ ２は、ソフトハンドオフを運営することができる。ＭＳ２は、持続して利用可能なパイロット信号を確認し、現在見えるパイロット信号に関してＢＴＳ ３に報告する。ＢＴＳ ３は最大６つのセクターまで割り当て、ＭＳ ２はそれによってＭＳのフィンガーを割り当てる。全てのメッセージはミューティング（ｍｕｔｉｎｇ）無しでディム・アンド・バースト（ｄｉｍ−ａｎｄ−ｂｕｒｓｔ）で転送される。各通信リンクの終端は使用者にハンドオフ透明性を提供し、フレーム単位（ｆｒａｍｅ  ｂｙ  ｆｒａｍｅ）に最適の構成を選択する。
【００４８】
ＣＤＭＡ２０００システムは、インターネット及びイントラネット接続、マルチメディアアプリケーション、高速ビジネス処理及び遠隔処理のようなデータ処理能力を活性化する潜在的なＣＤＭＡ技術の強化されたサービスを使用する３世代広帯域拡散スペクトラム無線インターフェースシステムである。ＣＤＭＡ２０００は、他の３世代システムと同様に、有限の無線スペクトラム利用可能性の制限を克服するための無線転送設計及びネットワーク経済性に力点を置いている。
【００４９】
図３は、ＣＤＭＡ２０００無線網のためのデータリンクプロトコル構造階層２０を示す。データリンクプロトコル階層２０の構造は、上位階層６０、リンク階層３０及び物理階層２１を含む。
【００５０】
上位階層６０は、データサービス副階層６１、音声サービス副階層６２及びシグナリングサービス副階層６３の３つの副階層を含む。データサービス副階層６１は、移動端使用者を代表して任意形態のデータを提供し、ＩＰサービスのようなパケットデータアプリケーション、同期ファックスのような回線データアプリケーション及びＢ−ＩＳＤＮエミュレーション（ｅｍｕｌａｔｉｏｎ）サービス及びＳＭＳを提供する。音声サービス６２は、ＰＳＴＮ接続を含み、端末対端末の音声サービス及びインターネット電話を提供する。シグナリングサービス６３は、端末動作の全般を制御する。
【００５１】
シグナリングサービス副階層６３は、ＭＳ ２とＢＳ ６間の全てのメッセージ交換を処理する。これらのメッセージは、呼設定及び解除、ハンドオフ、特性活性化（ｆｅａｔｕｒｅ  ａｃｔｉｖａｔｉｏｎ）、システム構成、登録及び認証のような機能を制御する。
【００５２】
リンク階層３０は、リンク接続制御（ＬＡＣ：Ｌｉｎｋ  Ａｃｃｅｓｓ  Ｃｏｎｔｒｏｌ）副階層３２及び媒体接続制御（ＭＡＣ：Ｍｅｄｉｕｍ  Ａｃｃｅｓｓ  Ｃｏｎｔｒｏｌ）副階層３１に分けられる。リンク階層３０は、プロトコル支援及びデータ転送サービス制御メカニズムを提供し、上位階層６０から物理階層２１へ特定性能及び特性を転送するのに必要なデータをマッピング（ｍａｐ）するのに必要な機能を果たす。リンク階層３０は、上位階層６０及び物理階層２１間のインターフェースといえる。
【００５３】
ＭＡＣ ３１及びＬＡＣ ３２副階層の分離は、広範囲な上位階層６０サービスに対する支援要求と広い遂行範囲、特に、１．２Ｋｂｐｓから２Ｍｂｐｓを超過する高効率及び低い潜在データサービスを提供しようとする要求によるものである。また、受容可能な遅延及び／またはデータＢＥＲ（Ｂｉｔ  Ｅｒｒｏｒ  Ｒａｔｅ）による制限のように、高いＱｏＳ（Ｑｕａｌｉｔｙ  ｏｆ  Ｓｅｒｖｉｃｅ）の回線及びパケットデータサービス提供の必要性及び異なるＱｏＳ要求を持つ向上したマルチメディアサービスに対する要求によるものでもある。
【００５４】
ＬＡＣ副階層３２は、点対点無線転送リンク４２上で信頼性あり、かつ、インシーケンス（ｉｎ−ｓｅｑｕｅｎｃｅ）伝達転送制御機能を提供するということが要求される。ＬＡＣ副階層３２は、上位階層６０エンティティ間に点対点（ｐｏｉｎｔ  ｔｏ  ｐｏｉｎｔ）通信チャンネルを管理し、広い範囲の相異なる端対端（ｅｎｄ  ｔｏ  ｅｎｄ）に信頼性あるリンク階層３０プロトコルを支援するためのフレームワーク（ｆｒａｍｅｗｏｒｋ）を提供する。
【００５５】
ＬＡＣ副階層３２は、正確なシグナリングメッセージの転送を提供する。ＬＡＣ副階層が支援する機能には、確認（Ａｃｋｎｏｗｌｅｄｇｅｍｅｎｔ）が要請される確認伝達（ａｓｓｕｒｅｄ  ｄｅｌｉｖｅｒｙ）、確認が要請されない非確認伝達（ｕｎａｓｓｕｒｅｄ  ｄｅｌｉｖｅｒｙ）、重複メッセージ検出、個別のＭＳ２へのメッセージ伝達のためのアドレス制御、物理媒体上の転送のためにメッセージを適切なサイズの断片に分割すること、グローバルチャレンジ認証（ｇｌｏｂａｌ  ｃｈａｌｌｅｎｇｅ  ａｕｔｈｅｎｔｉｃａｔｉｏｎ）及び受信されたメッセージの再結合（ｒｅａｓｓｅｍｂｌｙ）及び有効化確認（ｖａｌｉｄａｔｉｏｎ）などがある。
【００５６】
ＭＡＣ副階層３１は、それぞれの活性サービスに対してＱｏＳ管理性能を備えた３Ｇ無線システムの複合マルチメディア、マルチサービス性能を活性化させる。ＭＡＣ副階層３１は、パケットデータの接近制御過程を提供し、物理階層２１に回線データサービスを提供する。また、ＭＡＣ副階層３１は、無線システムで競争中の使用者だけでなく単一使用者からの多重サービス間の衝突制御を含む。ＭＡＣ副階層３１は、論理チャンネルと物理チャンネルのマッピングを行い、多数のソース（ｓｏｕｒｃｅ）からのデータを単一物理チャンネル上に多重化し、最上の信頼性のために無線リンクプロトコル（ＲＬＰ）３３を使用する無線リンク階層上で合理的で信頼性ある転送を提供する。
【００５７】
シグナリング無線バーストプロトコル（ＳＲＢＰ：Ｓｉｇｎａｌｉｎｇ  Ｒａｄｉｏ  Ｂｕｒｓｔ  Ｐｒｏｔｏｃｏｌ）３５は、メッセージをシグナリングするための接続のないプロトコルを提供するエンティティである。多重化及びＱｏＳ制御３４は、競争サービスからの対立する要請などの衝突仲裁による交渉されたＱｏＳレベル、及び接続要請の適切な優先順位施行に関与する。
【００５８】
物理階層２１は、無線で転送されるデータのコーディング及び変調に関与する。物理階層２１は、上位階層からのデジタルデータを調節し、移動無線チャンネル上に信頼性あるデータ転送が行われるようにする。
【００５９】
物理階層２１は、ＭＡＣ副階層３１が多重転送チャンネルで伝達した使用者データ及びシグナリングを、物理チャンネルにマッピングさせ、無線インターフェース上で情報を転送する。転送方向で、物理階層２１で行われる機能は、チャンネルコーディング、インタリービング、スクランブリング、拡散及び変調などを含む。受信方向では、受信機に伝達されたデータを復元するために前記機能が逆に行われる。
【００６０】
図４は、呼処理（ｃａｌｌ  ｐｒｏｃｅｓｓｉｎｇ）の概略を示す。呼処理は、パイロット及び同期チャンネル処理、ページングチャンネル処理、接続チャンネル処理及びトラフィックチャンネル処理を含む。
【００６１】
パイロット及び同期チャンネル処理は、‘ＭＳ ２初期化状態’でパイロット及び同期チャンネルを獲得し、ＣＤＭＡシステムと同期を合わせるＭＳ２処理過程を指す。ページングチャンネル処理は、ＭＳ ２が‘休止状態'でＢＳ ６からオーバーヘッド及び移動端末に向かうメッセージを受信すべく、順方向共通制御チャンネル（Ｆ−ＣＣＣＨ：Ｆｏｒｗａｒｄ  Ｃｏｍｍｏｎ  Ｃｏｎｔｒｏｌ  Ｃｈａｎｎｅｌ）またはページングチャンネルをモニタリングする過程を指す。接続チャンネル処理は、ＭＳ２が‘システム接続状態'で接続チャンネルまたは向上した接続チャンネルを通じてＢＳ ６にメッセージを転送することを指す。この時、ＢＳ ６は常にこのようなチャンネルを聴取し、ページングチャンネルまたはＦ−ＣＣＣＨのうち一つを用いてＭＳに応答する。トラフィックチャンネル処理は、ＭＳ２とＢＳ ６が‘トラフィックチャンネル状態がＭＳ ２制御’である専用順方向及び逆方向トラフィックチャンネルを用いて通信を行うことを指す。前記専用順方向及び逆方向トラフィックチャンネルは、音声、データのような使用者情報を伝達する。
【００６２】
図５は、ＭＳ ２の初期化状態を示す図である。初期化状態は、システム決定副状態（Ｓｙｓｔｅｍ  Ｄｅｔｅｒｍｉｎａｔｉｏｎ  Ｓｕｂｓｔａｔｅ）、パイロットチャンネル獲得、同期チャンネル獲得状態、タイミング変更副状態及び移動端末休止状態を含む。
【００６３】
システム決定は、ＭＳ ２がどのシステムからサービスを獲得するかを決定する過程である。この過程は、アナログ対デジタル、セルラー対ＰＣＳ及びＡ搬送波対Ｂ搬送波のような決定を含むことができる。一般的な選択過程は、システム決定を制御することができる。処理過程を再修正するサービス提供者もまた、システム決定副状態を制御できる。ＭＳ２は、システムを決定した後に、サービス検出のためにシステム内のチャンネルを決定しなければならない。一般的にＭＳ ２は、前記チャンネルを選択するために優先化されたチャンネルリスト（ｐｒｉｏｒｉｔｉｚｅｄ  ｃｈａｎｎｅｌ  ｌｉｓｔ）を使用する。
【００６４】
パイロットチャンネル獲得は、ＭＳ ２が使用可能なパイロット信号を検出することによってシステムタイミングに関連した情報を初めて得る過程である。パイロットチャンネルは情報を含んでいないが、ＭＳ２はパイロットチャンネルを相互関連（ｃｏｒｒｅｌａｔｉｎｇ）させることによって、端末の持つタイミングと整列させることができる。このような相互関連が成立すると、ＭＳ２は同期チャンネルと同期化され、そのタイミングをより細分化して同期チャンネルメッセージを読むことができる。ＭＳ ２は失敗を宣言し、他のチャンネルまたは他のシステムのうち一つを選択するためにシステム決定副状態に戻る前に、単一パイロットチャンネルに対して１５秒まで検索できる。前記検索手続きでシステムを獲得する時間は具現状況によって異なり、一般化されていない。
【００６５】
ＣＤＭＡ２０００で単一チャンネル上にＯＴＤパイロット、ＳＴＳパイロット及び補助パイロットのような多くのパイロットチャンネルが存在することができる。システム獲得の間に、ＭＳ２はこのようなパイロットチャンネルが異なるウォルシュコードを使用するので、このようなパイロットチャンネルを探すことができなく、ＭＳ ２は単にウォルシュコード（Ｗａｌｓｈ  ０）に対するものしか検索できない。
【００６６】
同期チャンネルメッセージは持続して同期チャンネル上で転送され、ＭＳ２にタイミングを細分化するための情報及びページングチャンネルを読むことのできる情報を提供する。移動端末は、ＢＳ ６からの前記同期チャンネルメッセージでＢＳ ６と通信が行えるか否かを決定できるようにする情報を受信する。
【００６７】
休止状態（Ｉｄｌｅ  ｓｔａｔｅ）で、ＭＳ ２はページングチャンネルのうち１つを受信し、そのチャンネル上のメッセージを処理する。オーバーヘッドまたは構成メッセージは、保存されたシーケンス番号と比較され、ＭＳ２が最も最近のパラメータを持っているかを確認する。ＭＳ ２に対するメッセージは、対象の加入者を決定するために確認される。
【００６８】
ＢＳ ６は、多重ページングチャンネル及び／または多重ＣＤＭＡチャンネル（周波数）を支援できる。ＭＳ２は休止状態でどのチャンネル及び周波数をモニタするかを決定するために、そのＩＭＳＩに基盤したハッシュ（ｈａｓｈ）機能を用いる。ＢＳ ６は、ＭＳ ２をページングする時にどのチャンネル及び周波数を使用するかを決定するために同一ハッシュ機能を用いる。
【００６９】
ページングチャンネル上及びＦ−ＣＣＣＨ上のスロットサイクルインデックス（Ｓｌｏｔ  ｃｙｃｌｅ  ｉｎｄｅｘ；ＳＣＩ）の使用は、スロット化した（ｓｌｏｔｔｅｄ）ページングを支援する。スロット化したページングの主目的は、ＭＳ２でのバッテリー電力を保存することにある。ＭＳ ２及びＢＳ ６両者ともＭＳがページされるスロットが一致する。ＭＳ ２は、非割当されたスロットの間にはその処理回路の一部電力を減らすことができる。一般ページメッセージ（Ｇｅｎｅｒａｌ  Ｐａｇｅ  ｍｅｓｓａｇｅ）または汎用ページメッセージ（Ｕｎｉｖｅｒｓａｌ  Ｐａｇｅ  ｍｅｓｓａｇｅ）は、Ｆ−ＣＣＣＨ上で移動局をページするのに使われることができる。ＭＳ２がＦ−ＰＣＨまたはＦ−ＣＣＣＨ上でスロット化したページングのみを用いて、可能なものよりもさらに短い周期の時間の間に電力を上昇させるようにする速いページングチャンネルもまた、支援される。
【００７０】
図６は、システム接続状態（Ｓｙｓｔｅｍ  Ａｃｃｅｓｓ  Ｓｔａｔｅ）を示す図である。システム接続過程の１番目の段階は、オーバーヘッド情報を更新し、ＭＳ２が初期電力レベル及び電力段階増加のような正しい接続チャンネルパラメータを使用していることを保証することである。ＭＳ ２は、任意に接続チャンネルを選択し、ＢＳ６または他のＭＳと協議無しで転送する。このようなランダム接続（ｒａｎｄｏｍ  ａｃｃｅｓｓ）プロセスは衝突を招く恐れがある。このような衝突可能性を減らすために、スロット化された構造の使用、多重接続チャンネルの使用、任意の開始時点における転送及びオーバーロードクラス(ｏｖｅｒｌｏａｄ  ｃｌａｓｓｅｓ)のような混雑制御（ｃｏｎｇｅｓｔｉｏｎ  ｃｏｎｔｒｏｌ）の適用など、いくつかの段階が行われることができる。
【００７１】
ＭＳ ２は、接続チャンネル上に要請または応答メッセージを転送することができる。要請メッセージは、発信メッセージ（Ｏｒｉｇｉｎａｔｉｏｎ  ｍｅｓｓａｇｅ）のように独立して転送されるメッセージである。応答メッセージは、ＢＳ６から受信したメッセージに対する応答として転送されるメッセージである。例えば、ページ応答(Page Response)メッセージは、一般的なページ（Ｇｅｎｅｒａｌ  ｐａｇｅ）メッセージまたは汎用メッセージ（Ｕｎｉｖｅｒｓａｌ  ｍｅｓｓａｇｅ）に対する応答である。
【００７２】
１つの第２階層カプセル化されたＰＤＵを送り、該ＰＤＵに対した確認を受信する全体手順を指し示す接続試み（ａｃｃｅｓｓ  ａｔｔｅｍｐｔ）は、図７に示すように、１つ以上の接続サブ試み（ａｃｃｅｓｓ  ｓｕｂ−ａｔｔｅｍｐｔ）からなる。接続サブ試みは、図８に示すような、接続プローブシーケンス（ａｃｃｅｓｓ  ｐｒｏｂｅ  ｓｅｑｕｅｎｃｅ）の集合を含む。接続サブ試み内のシーケンスはランダムバックオフ区間（ｒａｎｄｏｍ  ｂａｃｋｏｆｆ  ｉｎｔｅｒｖａｌ；ＲＳ）及び持続遅延（ｐｅｒｓｉｓｔｅｎｃｅ  ｄｅｌａｙ；ＰＤ）により分離される。ＰＤは、接続チャンネル要請にのみ適用され、応答には適用されない。図９は、０〜５１１スロットのスロットオフセットを使用することによって衝突が避けられるシステム接続状態を示す図である。
【００７３】
多重化及びＱｏＳ制御副階層３４は、転送機能及び受信機能の両機能を持っている。転送機能は、データサービス６１、シグナリングサービス６３または音声サービス６２のような多様なソースからの情報を結合し、転送のために物理階層ＳＤＵ及びＰＤＣＨＣＦ  ＳＤＵを生成する。受信機能は、データサービス６１、上位階層シグナリング６３または音声サービス６２のような物理階層２１及びＰＤＣＨＣＦ  ＳＤＵ内に含まれた情報を分離し、該情報をデータサービス６１、上位階層シグナリング６３または音声サービス６２のような正確なエンティティーに伝達する。
【００７４】
多重化及びＱｏＳ制御副階層３４は、物理階層２１と時間同期して動作する。物理階層２１が０以外のフレームオフセットで転送されると、多重化及びＱｏＳ制御副階層３４は、システム時間からの適切なフレームオフセットで物理階層による転送のために物理階層ＳＤＵを伝達する。
【００７５】
多重化及びＱｏＳ制御副階層３４は、プリミティブ（ｐｒｉｍｉｔｉｖｅ）の物理チャンネル特定サービスインターフェースセットを用いて物理階層に物理階層２１  ＳＤＵを伝達する。物理階層２１は、物理チャンネル特有受信指示サービスインターフェース動作を用いて多重化及びＱｏＳ制御副階層３４に物理階層ＳＤＵを伝達する。
【００７６】
ＳＲＢＰ副階層３５は、同期チャンネル、順方向共通チェアチャンネル、放送制御チャンネル、ページングチャンネル及び接続チャンネル手順を含む。
【００７７】
ＬＡＣ副階層３２は、第３階層６０にサービスを提供する。ＳＤＵは、第３階層６０とＬＡＣ副階層３２との間で伝達される。ＬＡＣ副階層３２は、ＳＤＵのＬＡＣ  ＰＤＵへの適切なカプセル化を提供し、その後には分離（ｓｅｇｍｅｎｔａｔｉｏｎ）及び再結合（ｒｅａｓｓｅｍｂｌｙ）が続き、カプセル化されたＰＤＵ断片としてＭＡＣ副階層３１に伝達される。
【００７８】
部分的に形成されたＬＡＣ  ＰＤＵをよく設定された順番で相互間に伝達するエンティティーを処理することによって、ＬＡＣ副階層３２内での処理は一連的に行なわれる。ＳＤＵ及びＰＤＵは、上位階層が物理チャンネルの無線特性を知る必要が無く、機能的な経路に沿って処理されて伝達される。しかし、上位階層は、物理チャンネルの特性がわかり、特定ＰＤＵの転送のために特性物理チャンネルを使用するように第２階層３０に指示することができる。
【００７９】
１ｘＥＶ−ＤＯシステムは、パケットデータサービスに最適化されたシステムで、データ専用またはデータ最適（Ｄａｔａ  Ｏｎｌｙ  ｏｒ  Ｄａｔａ  Ｏｐｔｉｍｉｚｅｄ；ＤＯ）のために単一１．２５ＭＨｚ搬送波（１ｘ）で特徴付けられる。また、最高値データ率は、順方向リンク上では２．４Ｍｂｐｓまたは３．０７２Ｍｂｐｓであり、逆方向リンク上では１５３．６ｋｂｐｓまたは１．８４３２Ｍｂｐｓである。また、１ｘＥＶ−ＤＯは、分離された周波数帯域及び１ｘシステムとの相互間ネットワーキングを提供する。図１０は、１ｘのＣＤＭＡ２０００と１ｘＥＶ−ＤＯ間の比較を示す図である。
【００８０】
ＣＤＭＡ２０００システムでは、実際に６１４．４ｋｂｐｓ及び３０７．２ｋｂｐｓの最大データ率で同時に転送される音声及びデータの同時サービスがある。ＭＳ２は、音声呼のためにＭＳＣ ５と通信し、データ呼のためにはＰＤＳＮ １２と通信する。ＣＤＭＡ２０００は、ウォルシュコード（ｗａｌｓｈ  ｃｏｄｅ）で区別される順方向トラフィックチャンネルと可変電力の固定率（ｆｉｘｅｄ  ｒａｔｅ）により特徴付けられる。
【００８１】
１ｘＥＶ−ＤＯシステムは、最大データ率が２．４Ｍｂｐｓまたは３．０７２Ｍｂｐｓであり、回線交換基幹網（ｃｉｒｃｕｉｔ−ｓｗｉｔｃｈｅｄ  ｃｏｒｅ  ｎｅｔｗｏｒｋ）７との通信がない。１ｘＥＶ−ＤＯは、時分割多重化される単一の順方向チャンネルを持つ固定電力及び可変率で特徴付けられる。
【００８２】
図１１は、１ｘＥＶ−ＤＯシステム構造を示す図である。１ｘＥＶ−ＤＯシステムでは、フレームは１６個のスロットからなっており、秒当たり６００個のスロットで、２６．６７ｍｓまたは３２，７６８チップの持続期間を持つ。１スロットは、１．６６６７ｍｓの長さを有し、２０４８チップを持つ。制御／トラフィックチャンネルは１スロットに１６００チップを、パイロットチャンネルは１スロットに１９２個のチップを、ＭＡＣチャンネルは１スロットに２５６個のチップを持つ。１ｘＥＶ−ＤＯシステムは、より簡単でより迅速なチャンネル測定及び時間同期を活性化させる。
【００８３】
図１２は、１ｘＥＶ−ＤＯシステムデフォルト（ｄｅｆａｕｌｔ）プロトコル体系を示す図である。図１３は、１ｘＥＶ−ＤＯシステムノンデフォルト（ｎｏｎ−ｄｅｆａｕｌｔ）プロトコル体系を示す図である。
【００８４】
１ｘＥＶ−ＤＯシステムのセッションと関連した情報は、ＭＳ２（または、接続端末（ＡＴ：Ａｃｃｅｓｓ  Ｔｅｒｍｉｎａｌ））とＢＳ ６（または、接続網（ＡＮ：Ａｃｃｅｓｓ  Ｎｅｔｗｏｒｋ））が無線リンクを通じて使用するプロトコル集合、ＵＡＴＩ（Ｕｎｉｃａｓｔ  Ａｃｃｅｓｓ  Ｔｅｒｍｉｎａｌ  Ｉｄｅｎｔｉｆｉｅｒ）、無線リンク上でＡＴ及びＡＮにより用いられるプロトコル構造及び現在ＡＴ位置測定を含む。
【００８５】
アプリケーション階層は、メッセージが一度に送られるようにする最善の努力、メッセージが一度以上再転送されるようにする信頼性ある伝達を同時に提供する。ストリーム（Ｓｔｒｅａｍ）階層は、１つのＡＴ２のために４個（デフォルト）または２４４（ノンデフォルト）までのアプリケーションストリームに対する多重化が可能である。
【００８６】
セッション階層は、セッションが相変らず有効であるということを確認し、セッションの終結、管理を行い、初期ＵＡＴＩ割当のための手順を特定し、ＡＴアドレスを維持し、セッション中に使われるプロトコル及びこれらプロトコルのための構成パラメータを協議／提供する。
【００８７】
図１４は、１ｘＥＶ−ＤＯセッションの設定を示す図である。図１４に示すように、セッションを設定には、アドレス構成、連結設定、セッション構成及びキー交換が含まれる。
【００８８】
アドレス構成は、ＵＡＴＩ及びサブネットマスク（ｓｕｂｎｅｔ  ｍａｓｋ）を割り当てるアドレス管理プロトコルを指す。連結設定は、無線リンクを設定する連結階層（ｃｏｎｎｅｃｔｉｏｎ  ｌａｙｅｒ）プロトコルを指す。セッション構成（ｓｅｓｓｉｏｎ  ｃｏｎｆｉｇｕｒａｔｉｏｎ）は、全てのプロトコルを構成するセッション構成プロトコルを指す。交換キーは、認証のためのキーを設定する保安階層（Ｓｅｃｕｒｉｔｙ  ｌａｙｅｒ）内でのキー交換（Ｋｅｙ  Ｅｘｃｈａｎｇｅ）を指す。
【００８９】
セッション（ｓｅｓｓｉｏｎ）は、ＡＴとＲＮＣ間の論理通信リンクで、デフォルト値として５４時間を有し、数時間オープンされている。セッションはまた、ＰＰＰセッションが活性化するまで持続する。セッション情報は、ＡＮ６内のＲＮＣにより制御及び維持される。
【００９０】
連結がオープンされると、ＡＴ ２には、順方向トラフィックチャンネルが割り当てられ、逆方向トラフィックチャンネル及び逆方向電力制御チャンネルが割り当てられることができる。複数の連結が単一セッションに起きることができる。
【００９１】
連結階層（Ｃｏｎｎｅｃｔｉｏｎ  ｌａｙｅｒ）は、ネットワークの初期獲得及び通信を管理する。また、連結階層は、適切なＡＴ２の位置を維持し、オープン連結がある時にＡＴ ２及びＡＮ ６間の無線リンクを管理する。また、連結階層は、監督を行い、セッション階層から受信した転送されたデータに対して優先順位を付け、カプセル化（ｅｎｃａｐｓｕｌａｔｅ）し、その優先順位の付いたデータを保安階層に伝達し、該保安階層から受信したデータをデカプセル化（ｄｅｃａｐｓｕｌａｔｅ）し、それをセッション階層に転送する。
【００９２】
図１５は、連結階層プロトコルを示す図である。図１５に示すように、プロトコルは初期化状態（Ｉｎｉｔｉａｌｉｚａｔｉｏｎ  Ｓｔａｔｅ）、休止状態（Ｉｄｌｅ  Ｓｔａｔｅ）及び連結状態（Ｃｏｎｎｅｃｔｅｄ  Ｓａｔｅ）を含む。
【００９３】
初期化状態では、ＡＴ ２はＡＮ ６を獲得し、初期化状態プロトコルを活性化させる。休止状態では、クローズド連結が初期化され、休止状態プロトコルが活性化される。連結状態では、オープン連結が初期化され、連結状態プロトコルが活性化される。
【００９４】
クローズド連結は、ＡＴ２にいずれの専用の無線リンク資源も割り当てられず、ＡＴ及びＡＮ６間の通信が接続チャンネル及び制御チャンネル上で行われる状態のことをいう。オープン連結は、ＡＴ２に順方向トラフィックチャンネルが割り当てられることができ、逆方向電力制御チャンネル及び逆方向トラフィックチャンネルが割り当てられ、ＡＴ２及びＡＮ ６間の通信が前記制御チャンネルの他、当該割り当てられたチャンネル上でも行われる状態のことをいう。
【００９５】
初期化状態プロトコルは、ＡＮ ６を獲得することと関連した動作を行う。休止状態プロトコルは、ＡＮ６を獲得したＡＴ２と関連した動作を行うが、ルート更新プロトコル（Ｒｏｕｔｅ  Ｕｐｄａｔｅ  Ｐｒｏｔｏｃｏｌ）を用いてＡＴ位置を継続して追跡するというようなオープン連結は有しない。連結状態プロトコルは、ＡＴ及びＡＮ６間の無線リンク管理及びクローズド連結に導く手順を管理するというようなオープン連結を持つＡＴ２と関連した動作を行う。ルート更新プロトコル（Ｒｏｕｔｅ  Ｕｐｄａｔｅ  ｐｒｏｔｏｃｏｌ）は、ＡＴ２位置を継続して追跡すること及びＡＴとＡＮ６間の無線リンクを維持することと関連した動作を行う。オーバーヘッドメッセージプロトコル（Ｏｖｅｒｈｅａｄ  Ｍｅｓｓａｇｅ  Ｐｒｏｔｏｃｏｌ）は、ＱｕｉｃｋＣｏｎｆｉｇ、ＳｅｃｔｏｒＰａｒａｍｅｔｅｒ及びＡｃｃｅｓｓＰａｒａｍｅｔｅｒメッセージのような必須パラメータを制御チャンネルで放送（ｂｒｏａｄｃａｓｔ）する。パケット合併プロトコル（Ｐａｃｋｅｔ  Ｃｏｎｓｏｌｉａｔｉｏｎ  Ｐｒｏｔｏｃｏｌ）は、受信機に関するパケット逆多重化（ｄｅ−ｍｕｌｔｉｐｌｅｘｔｉｎｇ）を提供する他、割り当てられた優先順位及びターゲットチャンネルの機能として転送のためのパケットを合併し、優先順位を付ける。
【００９６】
保安階層（Ｓｅｃｕｒｉｔｙ  Ｌａｙｅｒ）は、キー交換機能、認証機能及び暗号化（ｅｎｃｒｙｐｔｉｏｎ）機能を含む。キー交換機能は、トラフィックを認証するためにＡＮ２及びＡＴ ６によって伴われる手順を提供する。認証機能は、認証及び暗号化のために保安キーを交換すべく、ＡＮ ２及びＡＴ ６によって伴われる手順を提供する。暗号化機能は、トラフィックを暗号化するためにＡＮ２及びＡＴ ６によって伴われる手順を提供する。
【００９７】
１ｘＥＶ−ＤＯ順方向リンクは、電力制御及びソフトハンドオフが支援されないという特徴がある。ＡＮ６は、一定の電力で転送し、ＡＴ ２は、順方向リンク上で可変レート（ｖａｒｉａｂｌｅ  ｒａｔｅ）を要請する。異なる使用者がＴＤＭで異なる時間帯に転送するので、単一使用者のための相異なるＢＳ６からのダイバーシティ（ｄｉｖｅｒｓｉｔｙ）転送を具現し難い。
【００９８】
ＭＡＣ階層では、上位階層から発生した２タイプのメッセージ、具体的には、使用者データメッセージ及びシグナリングメッセージが物理階層を通じて転送される。２つのプロトコルが２タイプのメッセージ、具体的には、使用者データメッセージのための順方向トラフィックチャンネルＭＡＣプロトコル及びシグナリングメッセージのための制御チャンネルＭＡＣプロトコルを処理するのに使われる。
【００９９】
物理階層は、１．２２８８Ｍｃｐｓの拡散率、１６個のスロット及び２６．６７ｍｓからなるフレーム、１．６７ｍｓ及び２０４８チップを持つスロットで特徴付けられる。順方向リンクチャンネルは、パイロットチャンネル、順方向トラフィックチャンネルまたは制御チャンネル及びＭＡＣチャンネルを含む。
【０１００】
パイロットチャンネルは、全ての情報ビットが“０”であり、ウォルシュ−拡散コードが１スロットに１９２チップを持つＷ０であるという点で、ＣＤＭＡ２０００パイロットチャンネルに似ている。
【０１０１】
順方向トラフィックチャンネルは３８．４ｋｂｐｓ〜２．４５７６Ｍｂｐｓ、または、４．８ｋｂｐｓ〜３．０７２Ｍｂｐｓの範囲で変わるデータ率（ｄａｔａ  ｒａｔｅ）で特徴付けられる。物理階層パケットは、１ないし１６スロット内に転送されることができ、前記転送スロットは、一つ以上のスロットが割り当てられた場合に４−スロット（４−ｓｌｏｔ）インターレーシング（ｉｎｔｅｒｌａｃｉｎｇ）を使用する。割り当てられた全てのスロットが転送される前に、逆方向リンクＡＣＫチャンネルを通じてＡＣＫが受信されると、残ったスロットは転送されない。
【０１０２】
制御チャンネルは、ＣＤＭＡ２０００の同期チャンネル及びページングチャンネルに似ている。制御チャンネルは、２５６スロットまたは４２６．６７ｍｓ周期、１０２４ビットまたは１２８，２５６，５１２及び１０２４ビットの物理階層パケット長、及び３８．４ｋｂｐｓまたは７６．８ｋｂｐｓまたは１９．２ｋｂｐｓ、３８．４ｋｂｐｓまたは７６．８ｋｂｐｓのデータ率で特徴付けられる。
【０１０３】
１ｘＥＶ−ＤＯ逆方向リンクは、ＡＮ ６が逆方向電力制御を用いて逆方向リンクを電力制御でき、１つ以上のＡＮがソフトハンドオフを通じてＡＴ２の転送を受信できるという特徴がある。また、逆方向リンク上にＴＤＭがなく、ロングＰＮコードを使用するウォルシュコードによってチャンネル化される。
【０１０４】
接続チャンネルは、ＡＮ ６との通信を始めたりＡＴ指向メッセージに応答するためにＡＴ２により使われる。接続チャンネルは、パイロットチャンネル及びデータチャンネルを含む。
【０１０５】
ＡＴ ２は、ＡＮ ６から応答を受信したりタイマーが満了するまで接続チャンネルで一連の接続プローブ（ｐｒｏｂｅ）を送る。接続プローブは、ブリアンブル（ｐｒｅａｍｂｌｅ）及び１つ以上の接続チャンネル物理階層パケットを含む。接続チャンネルの基本データ率は９．６４ｋｂｐｓであり、１９．２ｋｂｐｓ及び３８．４ｋｂｐｓの高速データ率も利用可能である。
【０１０６】
同一の制御チャンネルパケットを用いて１つ以上のＡＴ２が呼び出されると、接続プローブは同時に転送されることができ、パケット衝突の恐れがある。この問題は、ＡＴ ２が共に位置したり（ｃｏ−ｌｏｃａｔｅｄ）、グループ呼内にあったり、類似の伝播（ｐｒｏｐａｇａｔｉｏｎ）遅延を有したりする場合により深刻化することができる。
【０１０７】
衝突発生の理由の一つとして、従来関連技術の方法における現持続テストの非効率性が挙げられる。ＡＴ２が短い連結設定時間を要求できるので、呼び出されたＡＴは、持続テストが使われる時に他の呼び出されたＡＴのように同時に接続プローブを転送することができる。
【０１０８】
持続テストを使用する従来方法は、短い連結設定時間を要求し／または要求したり、グループ呼（ｇｒｏｕｐ  ｃａｌｌ）の一部である各ＡＴ２が同じ持続値を持つことができるので、典型的に０に設定する。ＡＴ ２がグループ呼内にある場合のように同じ場所に位置すると、接続プローブはＡＮ ６に同時に到着し、これは接続衝突及び増加された連結設定時間につながることができる。
【０１０９】
したがって、短い連結時間を要求する同位（ｃｏ−ｌｏｃａｔｅｄ）の移動端末からの接続プローブ転送のためのより効率的な接近の必要がある。本発明は、このような問題及び干渉除去のような必要性について説明する。
【０１１０】
多重アンテナを持つ無線通信システムでは、１つ以上の順方向リンク（または、たまには逆方向リンク）に関してチャンネル条件を報告すべく、フィードバックチャンネル（または、フィードバック情報）が受信端（すなわち、接続端末機、移動局及び移動端末機）により使われることができる。フィードバック情報は、最も良いサービスセクターのためのチャンネル条件／品質、及び／または搬送波（副搬送波）、及び／またはアンテナの他、もっとも強い信号を持つこれらの組合せを含むことができる。転送端（すなわち、接続ネットワーク、基地局またはノードＢ）が順方向リンクまたは逆方向リンク周波数ダイバーシティの利点を取るために、受信端は特定個数、つまりＮ個の搬送波（副搬送波）が割り当てられることができ、Ｎ個のフィードバックチャンネルでチャンネル条件を報告することができる。
【０１１１】
無線通信システム（すなわち、ＣＤＭＡ２０００進化データ専用システムであるＥＶ−ＤＯシステム）では、１つ以上のアンテナがセル／セクターごとに割り当てられることができる。また、この１つ以上のアンテナは受信端内に位置することができる。ＥＶ−ＤＯは、待ち時間（ｌａｔｅｎｃｙ）を減らし、データ率を向上させる無線インターフェース強化技法と共に順方向及び逆方向リンク両方に速いパケット設定を提供する。
【０１１２】
図１６は、単一転送端及び単一受信端間におけるパイロット信号及びフィードバック情報の転送を示す例示図である。ただし、搬送波（副搬送波）、アンテナ及び／またはセクター／セルの数だけでなく、受信端及び送信端の数が１つに制限されることはない。
【０１１３】
１つ以上の使用者からデータを転送するに当たり、転送端は、１つ以上の受信端にすべての利用可能なアンテナ及び副搬送波を通じて典型的にパイロットまたはパイロット信号を送る。
【０１１４】
応答において、受信端は、（複数の）アンテナを含む各副搬送波のチャンネル条件／品質に関するフィードバック情報を転送する。フィードバック情報に基づいて、転送端はデータまたはデータパケットを転送するための搬送波／アンテナ組合せを決定する。フィードバック情報は、非周期的にも周期的にも転送されることができる。
【０１１５】
データパケットが受信端から提供されるフィードバック情報に基づいて転送されても、該転送されたサブパケットは受信されなかったり、正確にデコーディングされないことがありうる。こういう問題を処理するために、ＡＲＱ（Ａｕｔｏｍａｔｉｃ  ｒｅｑｕｅｓｔ）またはＨＡＲＱ（Ｈｙｂｉｒｄ  ＡＲＱ）が用いられることができる。ＡＲＱまたはＨＡＲＱでは、データパケットまたはサブパケットが一般的に再転送される。しかし、（複数の）サブパケットの再転送が、以前／元来の（複数の）パケットを転送するときに使われたのと同じ搬送波／アンテナを通じて行われると、特に、チャンネル条件が良くない場合などには、その再転送された（複数の）サブパケットが再び正確に受信されない場合が生じることができる。
【０１１６】
再転送に当たり、ＣＱＩ及び／または以前サブパケット転送の確認に基づいて、同一搬送波／アンテナまたは異なる搬送波／アンテナが連続した（複数の）サブパケットの転送に使われることができる。したがって、連続した（または、同時の）サブパケットは、同一搬送波（または、１セットのトーン（ａ  ｓｅｔ  ｏｆ  ｔｏｎｅｓ））またはアンテナ、または異なるセル／セクター上に転送されることができる。周知の如く、アンテナは、セル／セクターとも呼ばれることができる。
【０１１７】
これにより、電力が節約されたり、早期終了の機会が最大化されたり、遅延が最小化されるという効果がある。ここで、多重の搬送波（またはトーン）及び／またはアンテナが仮定される。
【０１１８】
このため、順方向リンク（Ｆｏｒｗａｒｄ  ｌｉｎｋ；ＦＬ）オーバーヘッドチャンネルがその関連したサブパケットの搬送波、周波数トーンまたはアンテナを指示する情報を伝達するのに使われることができる。すなわち、オーバーヘッドチャンネルは、どんな搬送波／アンテナがその連続したサブパケットを転送するために転送端により選択されたかを提供するために使われることができる。ここで、転送端による前記決定は、ＣＱＩ及び／または以前のサブパケット転送の確認（ａｃｋｎｏｗｌｅｄｇｅｍｅｎｔ）に基づいてなされることができる。
【０１１９】
前記オーバーヘッドチャンネルを通じてその選択された搬送波／アンテナ組合せを提供する理由の一つは、前記受信端がサブパケットの再転送のためにどんな搬送波及びアンテナを注視すべきかを知らせるためである。結果として、かかる情報は、（複数の）サブパケットを受信しデコーディングするのに役立つことができる。
【０１２０】
これと違い、サブパケット（連続した、異なるアンテナまたは搬送波）が、異なる転送フォーマットで転送されることができる。すなわち、サブパケットは、異なる変調技法を用いてそれぞれ別に変調されることができる。連続して転送されたサブパケットの転送フォーマットは、最も最近に更新されたＣＱＩに基づいて、以前のサブパケットの転送フォーマットとは異なることができる。
【０１２１】
例えば、以前の転送は、特定の変調技法（すなわち、ＱＰＳＫ）を用いてなることができる。しかし、ＣＱＩに基づいて、次の転送は成功的な受信／復調となるように他の変調技法を用いて行われることができる。このように、連続した転送は、異なるフォーマットまたは変調技法（すなわち、ＢＰＳＫ）を用いてなされることができる。
【０１２２】
サブパケット転送と共にオーバーヘッドチャンネルが転送されるので、現在のサブパケットは、以前のサブパケットの転送に使われた異なる転送フォーマットを用いて転送されることができる。例えば、チャンネル品質が良いと、より短い持続期、より高い変調率及びコーディングのサブパケットが転送されることができる。
【０１２３】
再転送の他の方法では、サブパケットが１つ以上の搬送波／アンテナで同時に転送されることができる。
【０１２４】
無線通信システムで、転送端（すなわち、接続ネットワーク）は、データを受信端（すなわち、接続端末）に送ることができる。受信端がセル／セクター境界地域に位置すると、転送端から転送されたデータは、受信端が当該データを受信する上で、低い受信電力及び／または干渉のような要素によって困難がありうる。
【０１２５】
周辺セル／セクターからの干渉、特にハンドオーバー／ハンドオフ状況時の干渉がある多重セル／セクター環境で上記のような困難がありうる。図１７は、ハンドオーバー状況を示す例示図である。
【０１２６】
選択された搬送波及びアンテナの組合せを使用することによって、使用者は、相対的に良いチャンネル条件で速くてより信頼性高くデータが提供されることができる。さらには、悪いチャンネル条件を持つ使用者も、同様の利点が得られる。
【０１２７】
前述した問題を解消するために、最適のチャンネル条件またはチャンネル品質を持つ搬送波及び／またはアンテナ及び／またはセクター／セルが転送のために選択されることができる。このため、受信端は複数の搬送波／アンテナのうち最適のチャンネル条件／品質を持つ搬送波／アンテナに関するフィードバック情報を送信端に提供する必要がある。例えば、チャンネル条件は、送信端から受信端に送られたパイロットに基づいて測定されることができる。フィードバック（例えば、チャンネル品質情報（Ｃｈａｎｎｅｌ  ｑｕａｌｉｔｙ  ｉｎｆｏｒｍａｔｉｏｎ；ＣＱＩ）またはデータ率制御（ｄａｔａ  ｒａｔｅ  ｃｏｎｔｒｏｌ；ＤＲＣ））を用いて、転送端はデータを転送するために搬送波、アンテナまたはセクター／セルとこれらの任意の組合せを選択することができる。付加的には、セクター／セルは、１つ以上のアンテナ要素（ａｎｔｅｎｎａ  ｅｌｅｍｅｎｔ）を持つことができる。
【０１２８】
フィードバック情報は、周期的にまたは非周期的に転送されることができる。周期的または非周期的なフィードバックにより、転送端は以前の転送からより良い搬送波／アンテナ／セクターの組合せを選択することができる。チャンネル条件に依存する転送成功及び失敗の敏感度を考慮し、周期的または非周期的なフィードバック情報を転送端に送り、データのより良い転送のためにチャンネル条件を変えるように適応または調整することができる。
【０１２９】
受信端からのフィードバック情報に基づいて、フィードバック情報は、転送のためにどの（複数の）アンテナ及び（複数の）搬送波の組合せが用いられるかに関する受信端による選択を含むことができる。すなわち、受信端は、サブアクティブセット（ｓｕｂ−ａｃｔｉｖｅ  ｓｅｔ）内で提供される組合せを指示することができる。
【０１３０】
サブアクティブセットは、異なる搬送波（副搬送波）及びアンテナ組合せのインデックスとして説明されることができる。例えば、２つの副搬送波（すなわち、副搬送波＃１及び副搬送波＃２）及び２つのアンテナ（すなわち、アンテナ＃１及びアンテナ＃２）を持つシステムにおいて、利用可能な組合せは次の通りである。ここで、インデックスは４個の異なる組合せを持つ。
【０１３１】
インデックス１は副搬送波＃１及びアンテナ＃１の組合せを指示し、インデックス２は副搬送波＃１及びアンテナ＃２の組合せを指示し、インデックス３は副搬送波＃２及びアンテナ＃１の組合せを指示し、インデックス４は副搬送波＃２及びアンテナ＃２の組合せを指示する。チャンネル条件／品質に基づいて、受信端はインデックスのうち任意の１つまたは１つ以上を選択し、該選択に関する情報を転送端にフィードバックする。すなわち、サブアクティブセットは、どの搬送波及び／またはアンテナがより良いチャンネル条件を持つかに関する情報を提供する。
【０１３２】
例えば、アンテナ＃２／副搬送波＃１を通じて転送されたパイロットのチャンネル条件／品質が最も強い信号を持つと、または、最も最適のチャンネル条件を持つと、サブパケットがアンテナ＃２／副搬送波＃１を通じて転送されることができる。
【０１３３】
また、インデックスの大きさは、システムで利用可能な搬送波及びアンテナの数による。また、搬送波／副搬送波の対だけでなく、アンテナの対を選択することが可能である。
【０１３４】
最適の搬送波／アンテナ組合せを選択するに当たり、受信端は、送信端から転送されたパイロットを使用することができる。例えば、多重アンテナシステムで、転送端は同時に異なるタイプのパイロットを送ることができる。その一例が、タイプＡ及びタイプＢのアンテナ＃１及びアンテナ＃２を通じた転送である。すなわち、タイプＡ及びタイプＢパイロットの両者がアンテナ＃２を通じて異なる副搬送波によって受信端に転送される。チャンネル条件に基づいて、受信端は、アンテナ＃１のためにより良いチャンネル条件を持つタイプＡパイロットを選択でき、アンテナ＃２のためにタイプＢを選択することができる。どのタイプのパイロット（タイプＡまたはタイプＢ）がより良いかに関するフィードバックがアンテナごとに送信端に提供される。
【０１３５】
サブアクティブセットを通じて、受信端は、最適のチャンネル条件を持つ搬送波／アンテナを指示することができる。言い換えると、ＣＱＩチャンネルは、サブアクティブセット内で（複数の）搬送波／（複数の）アンテナを指示することができる。同一の概念がまた、搬送波／アンテナに関してセクター／セルに適用されることができる。すなわち、受信端は、どの搬送波または副搬送波がより良い転送品質を持つか、及びどのセクター／セルがより良いチャンネル条件を持つかを提供することができる。上述の如く、アンテナはセクター／セルと呼ばれることができる。
【０１３６】
また、多数のサブアクティブセットが、多数の割り当てられた搬送波に割り当てられることができる。単一アンテナ選択において、受信端はアンテナごとに特定個数の（複数の）副搬送波が割り当てられることができる。チャンネル条件に基づいて、受信端は、アンテナごとにどの副搬送波がより良いまたは最適のチャンネル品質を持つかを提供する。例えば、３つの副搬送波が受信端に割り当てられると、サブアクティブセットが３個まで可能である。
【０１３７】
受信端がソフトハンドオフ／ハンドオーバー中にあると、結合されたＣＱＩチャンネルがサブアクティブセットとして使われることができる。すなわち、上記のように結合されたＣＱＩチャンネルは、全ての搬送波／アンテナのうち、１つまたは１セットのアンテナを指示することができる。例えば、２つの転送アンテナを持つ空間−時間コーディング（ｓｐａｃｅ−ｔｉｍｅ  ｃｏｄｉｎｇ；ＳＴＣ）が順方向リンク転送に使われ、各セクターがタイプＡのパイロットを転送するＮ個のアンテナを持ち、タイプＢパイロットを転送するＭ個のアンテナを持つと、２つのＣＱＩチャンネル（各タイプに１つずつ）がサブアクティブセットのための結合されたフィードバックチャンネルとして使われることができる。接続端末（ａｃｃｅｓｓ  ｔｅｒｍｉｎａｌ；ＴＡ）は、同一のデータソース（ｓｏｕｒｃｅ）を持つアンテナにこれら２つのチャンネルを指示するように強いられる。
【０１３８】
フィードバック情報を提供するに当たり、搬送波及びアンテナの組合せの選択がインタレースされることができる。このインタレースは、奇数インタレース（ｏｄｄ  ｉｎｔｅｒｌａｃｅ）及び偶数インタレース（ｅｖｅｎ  ｉｎｔｅｒｌａｃｅ）に分類されることができる。例えば、奇数インタレースは、転送チャンネルのチャンネル品質／条件を提供することができる。ここで、奇数インタレースは、チャンネル品質が提供されるデータ率制御（ＤＲＣ）値（すなわち、ＣＱＩ値）と類似な機能を果たすことができる。同時に、偶数インタレースは、その選択されたアンテナを提供するのに使われることができる。ここで、偶数インタレースは、上記の選択されたインデックスと類似な機能を行うことができる。このような奇数及び偶数インタレースは、１つのインタレースセット（ａ  ｓｅｔ  ｏｆ  ｉｎｔｅｒｌａｃｅｓ）を形成するように結合されることができ、送信端に提供され、搬送波／アンテナのどの組合せかも知らせることができる。
【０１３９】
また、フィードバック情報は、ＣＱＩカバー（ｃｏｖｅｒ）の形態で提供されることができる。従来、ＣＱＩカバーは受信端（すなわち、接続ネットワークまたは基地局）を指示するのに使われてきた。ここで、ＣＱＩカバーは、受信端により選択されたアンテナだけでなく、副搬送波に関する情報を提供するのに使われることができる。すなわち、ＣＱＩカバーのための多数のビットがセクター識別及び選択されたアンテナを含むために拡張／増加されることができる。また、拡張ＣＱＩカバーはＣＱＩ値と同一な情報だけでなく、前記セクター識別及び選択されたアンテナを含むことができる。ここで、ＣＱＩ値は不変であり、ＣＱＩカバーはセクター識別及び（複数の）アンテナの情報を含むように可変する。
【０１４０】
簡単に言えば、ＣＱＩカバーのビット数は、カバーが同一か、または、異なるセクター／セル内にありうる選択されたアンテナを表示できるように拡張されることができる。１つ以上の転送端があれば、拡張されたＣＱＩカバーは搬送波／アンテナ組合せの選択に加えて、転送端の選択を含むことができる。同様に、ＣＱＩカバーは、ＣＱＩ値をさらに含むことができる。
【０１４１】
フィードバック情報を提供する他の方法では、ＣＱＩ値のための多数のビットが拡張または増加されることができる。例えば、４ビットのような特定のビット数がＣＱＩ値を指示するのに使用されると、例えば、２ビットのような多数のビットが付加されることができる。すなわち、従来使用されたような４ビットの代わりに、全体６ビットがＤＲＣ値のために使われることができる。ここで、４ビットが元来のまたは従来の目的のために使われることができ、その拡張された／付加された２ビットがアンテナ選択を指示するのに使われることができる。ここで、ＣＱＩ値は変わる一方、ＣＱＩカバーは変更されないことができる（すなわち、セクター識別）。
【０１４２】
ＣＱＩ値のビット数が選択されたアンテナに関する情報を含むように拡張されることができ、よって、その拡張されたＣＱＩ値は、選択されたアンテナインデックス及びＣＱＩインデックス対（ｐａｉｒ）を表すことができる。また、アンテナの選択において、２つ以上のアンテナがチャンネル条件に基づいて選択されることができる。
【０１４３】
フィードバック情報を提供するさらに他の方法で、差値（ｄｉｆｆｅｒｅｎｔｉａｌ  ｖａｌｕｅ）が用いられることができる。すなわち、毎時間ごとに全体ＣＱＩ値を提供する代わりに、以前値に対する相対的な差値が提供されることができる。より具体的には、全体ＣＱＩ値は参照基準（ｒｅｆｅｒｅｎｃｅ）が決定されうるように初期に提供されることができる。この参考基準として全体ＣＱＩ値を用いて、連続した転送は差値を含む。例えば、連続した差値は、転送端が以前値より相対的に増加または減少できるように上昇または下降を指示することができる。このような割当により、ＣＱＩチャンネルに対する転送電力を減らすことができる。
【０１４４】
例えば、多重ＣＱＩチャンネルに関し、他のＣＱＩチャンネルが全体ＣＱＩ値を報告するにおいて他のチャンネルの全体ＣＱＩ値に対する相対的な差値を転送するのに対し、１つのアンカー（ａｎｃｈｏｒ）ＣＱＩチャンネルが全体ＣＱＩ値を転送する。ここで、複数の搬送波のうちの１つはアンカー搬送波になり得、他の搬送波は当該アンカー搬送波に依存する。ここでは、搬送波間に多くの変動がないとする。これと違い、各ＣＱＩチャンネルは、全体ＣＱＩ値を送ることができる。
【０１４５】
ハンドオフ／ハンドオーバー状況に関して上述したように、転送側に多数の送信機がありうる。ソフト、ソフター、または最もソフトなハンドオフと関連した状況において、多数のＣＱＩが各送信機にＣＱＩを転送するのに使われることができる（アクティブセット内でセクターを転送する）。また、多数の電力制御命令（基本的には差等ＣＱＩと同一）が各送信機に転送されることができる。また、異なるＣＱＩの電力レベルは異なることができ、各セクターにより個別的に制御されることができる。すなわち、電力レベルの差異は、各送信機からの電力命令に基づく。送信機は、基地局、接続ネットワーク、ノードＢ、ネットワーク、移動局、移動端末機または接続端末機のいずれか１つでありうる。
【０１４６】
フィードバックに関する多様な技法について、これらの技法は空間多重化（ｓｐａｔｉａｌ  ｍｕｌｔｉｐｌｅｘｉｎｇ）に適用されることができる。空間多重化が効果を奏するために、送信端に２つ以上のアンテナがある。また、送信端及び／または受信端は他のセクター／セル内に位置しても良い。
【０１４７】
また、空間多重化において、受信端は、コード（ランク）選択を送信端に転送することができる。コード（ランク）選択は、転送に利用可能な搬送波／アンテナの数を指す。ここで、２つ以上のＣＱＩが送信端に転送されることができ、コード（ランク）選択は、各チャンネルの大きさだけでなく、チャンネルの数に関する情報を提供する。その後、ＣＱＩは、搬送波を通じてどれくらい多くのデータが転送されうるかを識別するのに使われることができる。例えば、２つの搬送波があると、各ＣＱＩのための２つのＣＱＩが必要である。他の例として、コードインデックス及び該コードインデックスのためのＣＱＩを挙げることができる。並列ＣＱＩチャンネルは、コードインデックス及びそれに該当するＣＱＩ値により指示されることができる。
【０１４８】
前述したように、特に、多重アンテナ環境で多数のチャンネルが送信端にフィードバック情報を提供するのに使われることができる。また、送信端（すなわち、接続ネットワーク）は、前記データを転送するのに最適のチャンネル（または搬送波／アンテナ）を選択するためにフィードバック情報を使用することができる。フィードバック情報の他の形態として、ＣＱＩが使われることができる。
【０１４９】
ＣＱＩにおいて、受信端は送信端からの転送に基づいてどんな搬送波／アンテナが最も最適のチャンネル品質及び周波数対（パイロット）を持つかに関する情報を含む。上述の如く、また、ＣＱＩはデータ率制御（ＤＲＣ）に取って代わることができる。
【０１５０】
図１８は、受信端による多数のセクターのためのパイロットの選択を示す図である。より具体的には、図１８を参照すると、受信端は、単一フィードバックチャンネルを持つそのＦＬサーバーとして、６個のパイロットのうち周波数２（ｆ２）上のセクター１（Ｓ１）内でパイロットを選択する。ここで、受信端は、同時に異なる搬送波上のパイロットをモニタリングできると仮定する。ＣＱＩカバーは、セクターを選択するのに使われることができ、または、異なるセクターを区別するのに使われることができる。また、ＣＱＩカバーは、全てのセクターに対して同一である。
【０１５１】
図１８の別の説明が図１９である。図１９は、多数のセクターで受信端によるパイロットの選択を示す他の例示図である。図１９では、ｆ１、ｆ２、ｆ３と名づけられた３個の副搬送波がある。また、２つのアンテナまたはセクター、つまりＡ及びＢがある。同図において、副搬送波が選択され、該選択された副搬送波はアンテナ／セクターＡ及びＢの両方に適用される。副搬送波（例えば、ｆ１、ｆ２及びｆ３）当たり３個のフィードバックチャンネルがある。該副搬送波は水平的に選択されると見ることができる。ここでの選択はサブアクティブセットと称することができ、その詳細は上述した通りである。すなわち、受信端は選択をするためにフィードバック情報（すなわち、ＣＱＩ）を利用することができる。
【０１５２】
図２０は、単一セクターにおける受信端によるパイロットの選択を示す図である。図２０を参照すると、ＣＱＩカバーは、異なる搬送波を区別するのに使われ、ＣＱＩカバーは各セクター／アンテナごとに異なる。該副搬送波は垂直的に選択されると見ることができる。図１９では３個のフィードバックチャンネルがあるのに対し、ここでは１つのフィードバックチャンネルがある。同様に、フィードバック情報（例えば、ＣＱＩ）は受信端が選択をするために使われることができる。
【産業上の利用可能性】
【０１５３】
本発明の本質や範囲を逸脱しない限度内で本発明の様々な修正と変動が可能であるということは、本技術分野に熟練した者にとっては明白である。したがって、添付の特許請求の範囲及びそれと均等な範囲に符合する修正及び変動はいずれも本発明に含まれることができる。
【図面の簡単な説明】
【０１５４】
【図１】無線通信ネットワーク構造を示す図である。
【図２Ａ】ＣＤＭＡ拡散及び逆拡散手順を示す図である。
【図２Ｂ】多重拡散シーケンスを用いたＣＤＭＡ拡散及び逆拡散を示す図である。
【図３】ＣＤＭＡ２０００無線ネットワークのためのデータリンクプロトコル構造を示す図である。
【図４】ＣＤＭＡ２０００呼手順を示す図である。
【図５】ＣＤＭＡ２０００初期化状態（ｉｎｉｔｉａｌｉｚａｔｉｏｎ  ｓｔａｔｅ）を示す図である。
【図６】ＣＤＭＡ２０００システムアクセス状態を示す図である。
【図７】従来のＣＤＭＡ２０００アクセス試みを示す図である。
【図８】従来のＣＤＭＡ２０００アクセスサブ試み（ｓｕｂ−ａｔｔｅｍｐｔ）を示す図である。
【図９】スロットオフセットを用いる従来のＣＤＭＡ２０００システムアクセス状態を示す図である。
【図１０】１ｘＣＤＭＡ２０００及び１ｘＥＶ−ＤＯを比較した図である。
【図１１】１ｘＥＶ−ＤＯ無線ネットワークのためのネットワーク構造階層を示す図である。
【図１２】１ｘＥＶ−ＤＯデフォルト（ｄｅｆａｕｌｔ）プロトコル構造を示す図である。
【図１３】１ｘＥＶ−ＤＯノン・デフォルト（ｎｏｎ−ｄｅｆａｕｌｔ）プロトコル構造を示す図である。
【図１４】１ｘＥＶ−ＤＯセッション（ｓｅｓｓｉｏｎ）確立を示す図である。
【図１５Ａ】１ｘＥＶ−ＤＯ連結階層プロトコルを示す図である。
【図１５Ｂ】１ｘＥＶ−ＤＯ連結階層プロトコルを示す図である。
【図１６】単一転送端と単一受信端間でパイロット信号及びフィードバック情報の転送を示す例示図である。
【図１７】ハンドオーバー状況を示す例示図である。
【図１８】多重セクターのための受信端によるパイロットの選択を示す図である。
【図１９】多重セクターのための受信端によるパイロットの選択を示す他の例示図である。
【図２０】単一セクターのための受信端によるパイロットの選択を示す例示図である。
【図１】
2009525669.tif 000003
【図２Ａ】
2009525669.tif 000004
【図２Ｂ】
2009525669.tif 000005
【図３】
2009525669.tif 000006
【図４】
2009525669.tif 000007
【図５】
2009525669.tif 000008
【図６】
2009525669.tif 000009
【図７】
2009525669.tif 000010
【図８】
2009525669.tif 000011
【図９】
2009525669.tif 000012
【図１０】
2009525669.tif 000013
【図１１】
2009525669.tif 000014
【図１２】
2009525669.tif 000015
【図１３】
2009525669.tif 000016
【図１４】
2009525669.tif 000017
【図１５Ａ】
2009525669.tif 000018
【図１５Ｂ】
2009525669.tif 000019
【図１６】
2009525669.tif 000020
【図１７】
2009525669.tif 000021
【図１８】
2009525669.tif 000022
【図１９】
2009525669.tif 000023
【図２０】
2009525669.tif 000024
【国際調査報告】
2009525669.tif 000025
2009525669.tif 000026
2009525669.tif 000027